(57)【要約】【課題】使用中、ブラシが自ずと離脱することを防ぎ、着脱作業が容易な掃除機ヘッドを提供する。【解決手段】後方に空気出口２１０が形成されるハウジング２００と、長手方向に延長して形成され、ハウジング２００の底部に露出した状態で配置され、長手方向の両端がベアリングモジュール３１０を介してハウジング２００に対して回転可能に設置されるブラシ８００と、ハウジング２００に内蔵され、動力伝達機構６００を介してブラシ８００を回転駆動する駆動モータ５００と、ハウジング２００の長手方向の両端にそれぞれ形成される一方フレーム３００及び他方フレーム４００と、を備え、一方フレーム３００には、ブラシ８００の一端に設置されるベアリングモジュール３１０をブラシ８００の側方向に着脱可能に装着するためのブラシ着脱モジュールが設置されている。【選択図】図６
2020127699.tif 000002
【特許請求の範囲】
【請求項１】
後方に空気出口が形成されるハウジングと、
長手方向に延長して形成され、前記ハウジングの底部に露出した状態で配置され、前記長手方向の両端がベアリングモジュールを介して前記ハウジングに対して回転可能に設置されるブラシと、
前記ハウジングに内蔵され、動力伝達機構を介して前記ブラシを回転駆動する駆動モータと、
前記ハウジングの長手方向の両端にそれぞれ形成される一方フレーム及び他方フレームと、を備え、
前記一方フレームには、前記ブラシの一端に設置されるベアリングモジュールをブラシの側方向に着脱可能に装着するためのブラシ着脱モジュールが設置されている
ことを特徴とする掃除機ヘッド。
【請求項２】
前記ブラシの一端に設置されるベアリングモジュールは、
前記ブラシの端面中央に軸方向に固定される回転軸と、
前記回転軸の周りに設置されるベアリングと、
前記ベアリングの周りに設置されるベアリングホルダと、を有する
ことを特徴とする請求項１に記載の掃除機ヘッド。
【請求項３】
前記ブラシ着脱モジュールは、
前記一方フレームに回転自在に設置され、前記ベアリングホルダが側方向に着脱自在に装着される掛金部材と、
前記一方フレームを挟んで前記掛金部材の反対側に配置され、前記掛金部材に前記回転軸の周り方向に相対回転しないように結合する取っ手部材と、
前記掛金部材と取っ手部材との間に連結され、相互の回転軸方向の離脱を制限するストッパ部材と、を有する
ことを特徴とする請求項２に記載の掃除機ヘッド。
【請求項４】
前記掛金部材の一端は、前記一方フレームに形成された貫通孔から挿入され、他端には、前記ベアリングホルダが側方向に挟まれる出入溝が形成されている
ことを特徴とする請求項３に記載の掃除機ヘッド。
【請求項５】
前記取っ手部材は、前記貫通孔を挟んで前記掛金部材の反対側に配置され、前記掛金部材の一端に前記回転軸方向に直線移動可能に結合され、
前記掛金部材又は一方フレームと前記取っ手部材との間には、前記掛金部材に対して取っ手部材を押し出す弾性力を作用させる圧縮バネが介在されている
ことを特徴とする請求項４に記載の掃除機ヘッド。
【請求項６】
前記取っ手部材の周りの一部には、係止溝が形成され、
前記一方フレームには、前記係止溝に係止可能な係止突起が突出して形成されている
ことを特徴とする請求項５に記載の掃除機ヘッド。
【請求項７】
前記掛金部材には、回転軸方向に延長され、前記一方フレームの貫通孔に貫通挿入される連結管が形成され、
前記掛金部材と対向する取っ手部材の面には、前記連結管が移動可能に挿入されるように対応する形状に形成されるガイド溝が形成されている
ことを特徴とする請求項３から６のいずれか１つに記載の掃除機ヘッド。
【請求項８】
前記連結管の周面には、前記貫通孔を弾性的に通過した後、前記一方フレームの貫通孔の周りに係止されるように係止片が複数個離隔して形成されている
ことを特徴とする請求項７に記載の掃除機ヘッド。
【請求項９】
前記ガイド溝の底部には、回転軸方向に延長され、端面中央に螺子溝が形成される締付突出部が形成され、
前記連結管の底部には、前記締付突出部が貫通する締付孔が形成され、
前記ストッパ部材は、締付孔を経て前記締付突出部の螺子溝に締め付けられ、ヘッドが前記締付孔の周りに係止されて移動が制限される締付螺子である
ことを特徴とする請求項７に記載の掃除機ヘッド。
【請求項１０】
前記一方フレームには、前記掛金部材か収容される掛金部材設置溝が形成され、
前記掛金部材設置溝の内側縁には、第一ガイド部が形成され、
前記第一ガイド部の周り方向の両端には、第一係止段と第二係止段が形成され、
前記掛金部材の外側縁面には、前記第一ガイド部に対応する形状の第二ガイド部が形成され、
前記第二ガイド部の周り方向の両端には、前記第一係止段に係止される第三係止段と、前記第二係止段に係止される第四係止段とがそれぞれ形成されている
ことを特徴とする請求項３から６のいずれか１つに記載の掃除機ヘッド。
【請求項１１】
前記掛金部材の第二ガイド部の回転軸方向の端部には、制限プレートが形成されており、前記第一ガイド部の回転軸方向の端部の少なくとも一部を覆うように構成されている
ことを特徴とする請求項１０に記載の掃除機ヘッド。
【請求項１２】
前記一方フレームには、前記取っ手部材が収容される取っ手部材設置溝が形成され、
前記取っ手部材設置溝の底部に向かう前記取っ手部材の端部には、周り方向に沿って突出リングが形成され、
前記突出リングの一部分には、係止溝が形成され、
前記一方フレームには、前記突出リングの係止溝に係止されるように係止突起が突出形成されている
ことを特徴とする請求項３に記載の掃除機ヘッド。
【発明の詳細な説明】
【技術分野】
【０００１】
本発明は、掃除機ヘッドに関し、さらに詳しくは、ブラシ着脱モジュールによりブラシが着脱可能に装着された掃除機ヘッドに関する。
【背景技術】
【０００２】
一般に、真空掃除機は、内部にファンモータが設置され、吸引力を発生させる本体と、その本体の吸引ポート側に一端が連結される延長管と、その延長管の自由端に設置され、ファンモータの吸引力により塵埃等の異物を吸引する吸引ヘッドとを備えている。
【０００３】
近年、前記吸引ヘッドの底面からブラシが突出した状態で回転可能に設置され、前記ブラシを駆動するための駆動モータが含まれる構造の真空掃除機が多く市販されている。
【０００４】
さらに、性質の異なる二つのブラシを前後方向に並んで設置して二重ブラシで構成することにより、異物の撹拌効果を高める掃除機ヘッドも開示されている（例えば、特許文献１）。
【先行技術文献】
【特許文献】
【０００５】
【特許文献１】日本国登録特許第５５１７７０９号公報
【発明の概要】
【発明が解決しようとする課題】
【０００６】
しかしながら、従来技術による掃除機ヘッドの場合、ブラシの設置構造が脆弱して、使用中、離脱されてしまうことがあった。
【０００７】
また、従来技術によれば、掃除機ヘッドのハウジングに対するブラシの設置作業が不便であり、組立に多くの時間を必要とするという短所もあった。
【０００８】
本発明は、上記問題点に鑑みなされたものであり、使用中、ブラシが自ずと離脱することを防ぎ、着脱作業が容易な掃除機ヘッドを提供することを目的とする。
【課題を解決するための手段】
【０００９】
上記目的を達成するための本発明に係る掃除機ヘッドは、後方に空気出口が形成されるハウジングと、長手方向に延長して形成され、前記ハウジングの底部に露出した状態で配置され、前記長手方向の両端がベアリングモジュールを介して前記ハウジングに対して回転可能に設置されるブラシと、前記ハウジングに内蔵され、動力伝達機構を介して前記ブラシを回転駆動する駆動モータと、前記ハウジングの長手方向の両端にそれぞれ形成される一方フレーム及び他方フレームと、を備え、前記一方フレームには、前記ブラシの一端に設置されるベアリングモジュールをブラシの側方向に着脱可能に装着するためのブラシ着脱モジュールが設置されていることを特徴とする。
【００１０】
前記ブラシの一端に設置されるベアリングモジュールは、前記ブラシの端面中央に軸方向に固定される回転軸と、前記回転軸の周りに設置されるベアリングと、前記ベアリングの周りに設置されるベアリングホルダと、を有することを特徴とする。
【００１１】
前記ブラシ着脱モジュールは、前記一方フレームに回転自在に設置され、前記ベアリングホルダが側方向に着脱自在に装着される掛金部材と、前記一方フレームを挟んで前記掛金部材の反対側に配置され、前記掛金部材に前記回転軸の周り方向に相対回転しないように結合する取っ手部材と、前記掛金部材と取っ手部材との間に連結され、相互の回転軸方向の離脱を制限するストッパ部材と、を有して構成されることを特徴とする。
【００１２】
前記掛金部材の一端は、前記一方フレームに形成された貫通孔から挿入され、他端には、前記ベアリングホルダが側方向に挟まれる出入溝が形成されていることを特徴とする。
【００１３】
前記取っ手部材は、前記貫通孔を挟んで前記掛金部材の反対側に配置され、前記掛金部材の一端に前記回転軸方向に直線移動可能に結合され、前記掛金部材又は一方フレームと前記取っ手部材との間には、前記掛金部材に対して取っ手部材を押し出す弾性力を作用させる圧縮バネが介在されていることを特徴とする。
【００１４】
前記取っ手部材の周りの一部には、係止溝が形成され、前記一方フレームには、前記係止溝に係止可能な係止突起が突出して形成されていることを特徴とする。
【００１５】
前記掛金部材には、回転軸方向に延長され、前記一方フレームの貫通孔に貫通挿入される連結管が形成され、前記掛金部材と対向する取っ手部材の面には、前記連結管が移動可能に挿入されるように対応する形状に形成されるガイド溝が形成されていることを特徴とする。
【００１６】
前記連結管の周面には、前記貫通孔を弾性的に通過した後、前記一方フレームの貫通孔の周りに係止されるように係止片が複数個離隔して形成されていることを特徴とする。
【００１７】
前記ガイド溝の底部には、回転軸方向に延長され、端面中央に螺子溝が形成される締付突出部が形成され、前記連結管の底部には、前記締付突出部が貫通する締付孔が形成され、前記ストッパ部材は、締付孔を経て前記締付突出部の螺子溝に締め付けられ、ヘッドが前記締付孔の周りに係止されて移動が制限される締付螺子であることを特徴とする。
【００１８】
前記一方フレームには、前記掛金部材か収容される掛金部材設置溝が形成され、前記掛金部材設置溝の内側縁には、第一ガイド部が形成され、前記第一ガイド部の周り方向の両端には、第一係止段と第二係止段が形成され、前記掛金部材の外側縁面には、前記第一ガイド部に対応する形状の第二ガイド部が形成され、前記第二ガイド部の周り方向の両端には、前記第一係止段に係止される第三係止段と、前記第二係止段に係止される第四係止段とがそれぞれ形成されていることを特徴とする。
【００１９】
前記掛金部材の第二ガイド部の回転軸方向の端部には、制限プレートが形成されており、前記第一ガイド部の回転軸方向の端部の少なくとも一部を覆うことを特徴とする。
【００２０】
前記一方フレームには、前記取っ手部材が収容される取っ手部材設置溝が形成され、前記取っ手部材設置溝の底部に向かう前記取っ手部材の端部には、周り方向に沿って突出リングが形成され、前記突出リングの一部分には、係止溝が形成され、前記一方フレームには、前記突出リングの係止溝に係止されるように係止突起が突出形成されていることを特徴とする。
【発明の効果】
【００２１】
本発明によれば、一方フレームには、ブラシの一端に設置されるベアリングモジュールを前方ブラシの側方向に着脱可能に装着するためのブラシ着脱モジュールが設置されているので、前記ブラシをハウジング及び一方フレームに容易に設置するのみならず、作動中、ブラシが自ずと離脱することを防ぐことができるという効果が図られる。
【００２２】
また、掛金部材を単純に押し出す動作により、掛金部材を一方フレームにワンタッチ式で結合させ、ストッパ部材を介して前記掛金部材に取っ手部材を容易に結合することができるので、組立作業がさらに容易であるという利点もある。
【図面の簡単な説明】
【００２３】
【図１】本発明の実施形態に係る掃除機ヘッドの構造を示す斜視図である。
【図２】本発明の実施形態に係る掃除機ヘッドの構造を示す分解斜視図である。
【図３】本発明の実施形態に係る掃除機ヘッドにおけるブラシ着脱モジュールの構造を示す外側前方斜視図である。
【図４】本発明の実施形態に係る掃除機ヘッドにおけるブラシ着脱モジュールの構造を示す外側後方斜視図である。
【図５】本発明の実施形態に係る掃除機ヘッドにおけるブラシ着脱モジュールの構造を示す内側斜視図である。
【図６】本発明の実施形態に係る掃除機ヘッドにおけるブラシ着脱モジュールの構造を示す外側後方分解斜視図である。
【図７】本発明の実施形態に係る掃除機ヘッドにおけるブラシ着脱モジュールの構造を示す内側前方分解斜視図である。
【図８】本発明の実施形態に係る掃除機ヘッドにおいて一方フレームが省略されたブラシ着脱モジュールを示す斜視図である。
【図９】本発明の実施形態に係る掃除機ヘッドにおけるブラシ着脱モジュールの作用を示す斜視図であって、（ａ）はブラシ装着時、（ｂ）はブラシ分離時を示す図である。
【発明を実施するための形態】
【００２４】
以下、添付された図面を参照して、本発明の好適な実施例について詳述する。
【００２５】
図１と図２に示すように、本発明の実施形態に係る掃除機ヘッド１０００は、左右の長手方向に沿って延長され、前後方向に互いに並んで配置される前方ブラシ７００及び後方ブラシ８００と、前記後方ブラシ８００を底部に露出させた状態で前記前方ブラシ７００を回転可能に設置する前方ハウジング１００と、前記後方ブラシ８００を底部に露出させた状態で前記後方ブラシ８００を回転可能に設置し、後方には空気出口２１０が形成される後方ハウジング２００と、前記後方ハウジング２００に内蔵され、動力伝達機構６００を介して前記前方ブラシ７００と後方ブラシ８００を回転駆動する駆動モータ５００と、を備える。
【００２６】
前記前方ブラシ７００及び後方ブラシ８００は、ベアリングモジュールを介して前記前方ハウジング１００及び後方ハウジング２００にそれぞれ回転可能に設置されている。
【００２７】
特に、前記前方ハウジング１００の長手方向の両端には、それぞれ一方フレーム３００及び他方フレーム４００が形成されている。
【００２８】
前記一方フレーム３００には、前記前方ブラシ７００の一端に設置されるベアリングモジュール３１０を、前方ブラシ７００の側方向に着脱可能に装着するためのブラシ着脱モジュール９００が設置されている。
【００２９】
このような構成により、前記前方ブラシ７００を前方ハウジング１００及び一方フレーム３００に容易に設置することができるのみならず、作動中、前方ブラシ７００が自ずと離脱することが防がれるという効果を図ることができる。
【００３０】
具体的に、前記前方ブラシ７００の一端に設置されるベアリングモジュール３１０は、前記前方ブラシ７００の端面中央に軸方向に固定される回転軸３１１と、前記回転軸３１１の周りに設置されるベアリング３１２と、前記ベアリング３１２の周りに設置されるベアリングホルダ３１３とからなる。
【００３１】
すなわち、前記回転軸３１１は、ベアリング３１２を介してベアリングホルダ３１３に対して回転自在に設置されている。
【００３２】
また、図３から図８に示すように、前記ブラシ着脱モジュール９００は、前記一方フレーム３００に回転自在に設置され、前記ベアリングホルダ３１３が側方向に着脱自在に装着される掛金部材９１０と、前記一方フレーム３００を挟んで前記掛金部材９１０の反対側に配置され、前記掛金部材９１０に前記回転軸３１１の周り方向に相対回転しないように結合される取っ手部材９２０と、前記掛金部材９１０と取っ手部材９２０との間に連結され、相互の回転軸方向の離脱を制限するストッパ部材９３０と、を有して構成される。
【００３３】
これにより、前記取っ手部材９２０を往復回転させることにより、前記回転軸３１１の周り方向に相対回転しないように結合される掛金部材９１０が一緒に往復回転し、前記一方フレーム３００に対して開放と閉鎖機能を行うことにより、一方フレーム３００へのベアリングホルダ３１３の装着及び分離を選択的に可能にする。
【００３４】
特に、前記掛金部材９１０の一端は、前記一方フレーム３００に形成された貫通孔３０１から挿入され、他端には、前記ベアリングホルダ３１３が側方向に挟まれる出入溝９１１が形成され、前記掛金部材９１０の一端に前記取っ手部材９２０が結合し、前記出入溝９１１により前記ベアリングホルダ３１３が相対回転不能に挟まれる。
【００３５】
また、前記取っ手部材９２０は、前記貫通孔３０１を挟んで前記掛金部材９１０の反対側に配置され、前記掛金部材９１０の一端に前記回転軸３１１の方向に直線移動可能に結合され、前記掛金部材９１０又は一方フレーム３００と前記取っ手部材９２０との間には、前記掛金部材９１０に対して取っ手部材９２０を押し出す弾性力を作用させる圧縮バネ９４０が介在されることが好ましい。
【００３６】
前記圧縮バネ９４０により、前記掛金部材９１０と取っ手部材９２０には、互いに押し出す力が作用し、これにより、前方ブラシ７００に連結されたベアリングホルダ３１３を掛金部材９１０に装着した状態で、前記取っ手部材９２０が一方フレーム３００等の周辺構造物に係止されるようにし、このため、掛金部材９１０が一方フレーム３００に対して自ずと回転して、ベアリングホルダ３１３が前記掛金部材９１０により一方フレーム３００から自ずと分離されることが防がれる。
【００３７】
特に、前記取っ手部材９２０の周りの一部には、係止溝９２１が形成され、前記一方フレーム３００には、前記係止溝９２１に係止可能な係止突起９５０が突出形成されて、前記ベアリングホルダ３１３が掛金部材９１０に装着された状態で、前記掛金部材９１０の出入溝９１１が閉鎖される方向に回転すると、前記係止突起９５０と係止溝９２１が互いに係止され、掛金部材９１０の回転が防止されるので、ベアリングホルダ３１３が前記掛金部材９１０から自ずと分離されることが避けられる。
【００３８】
以下、前記ブラシ着脱モジュール９００を構成するそれぞれの構成要素について具体的に説明する。
【００３９】
先ず、前記掛金部材９１０には、回転軸３１１の長手方向に延長され、前記一方フレーム３００の貫通孔３０１に貫通挿入される連結管９１２が形成され、前記掛金部材９１０と対向する取っ手部材９２０の面には、前記連結管９１２が移動可能に挿入されるように対応する形状に形成されるガイド溝９２２が形成されている。
【００４０】
すなわち、取っ手部材９２０のガイド溝９２２に前記掛金部材９１０の連結管９１２が挿入され、回転軸３１１の長手方向に沿って直線移動が可能となる。
【００４１】
この場合、前記連結管９１２とガイド溝９２２は、対応する相補的な形状を有するが、相互相対回転し難いように円形ではないことが好ましい。
【００４２】
また、図６と図７に示すように、前記連結管９１２の周面には、前記貫通孔３０１を弾性的に通過した後、前記一方フレーム３００の貫通孔３０１の周りに係止されるように、係止片９１３が複数個離隔して形成されている。
【００４３】
このため、前記係止片９１３は、前記連結管９１２の周面において切開して形成され、半径方向に弾性力が作用するようにし、前記連結管９１２の周面から突出して形成されている。
【００４４】
これにより、前記掛金部材９１０を単純に押し出す動作により、前記係止片９１３が前記一方フレーム３００の貫通孔３０１を弾性的に乗り越えてから係止されて、反対方向に自ずと抜け出ないようにする構造が可能となる。
【００４５】
また、前記ガイド溝９２２の底部には、回転軸３１１の長手方向に延長され、端面中央に螺子溝９２３ａが形成される締付突出部９２３が形成され、前記連結管９１２の底部には、前記締付突出部９２３が貫通する締付孔９１２ａが形成されている。
【００４６】
前記ストッパ部材９３０は、前記締付孔９１２ａを経て前記締付突出部９２３の螺子溝９２３ａに締め付けられ、ヘッド９３１が前記締付孔９１２ａの周りに係止され、掛金部材９１０に対する取っ手部材９２０の離脱が制限される締付螺子で構成される。
【００４７】
図６と図７に示すように、前記圧縮バネ９４０の一端は、前記掛金部材９１０の連結管９１２の内部の中空に収容されて、その底部に定着され、他端は、前記取っ手部材９２０のガイド溝９２２内に収容されて、その底部に支持されるように構成され、前記一方フレーム３００に支持される掛金部材９１０に対して前記取っ手部材９２０を引っ張る弾性力を作用させる。
【００４８】
すなわち、前記圧縮バネ９４０は、前記掛金部材９１０と取っ手部材９２０をいつも互いに押し出す力を作用させる。
【００４９】
代案的に、前記圧縮バネ９４０は、前記一方フレーム３００と取っ手部材９２０との間に介在されてもよい。
【００５０】
一方、前記一方フレーム３００には、前記掛金部材９１０が収容される掛金部材設置溝３２０が形成され、前記掛金部材設置溝３２０の内側縁には、第一ガイド部３２１が形成され、前記第一ガイド部３２１の周り方向の両端には、第一係止段３２１ａと第二係止段３２１ｂが形成されている。
【００５１】
また、前記掛金部材９１０の外側縁面には、前記第一ガイド部３２１に対応する形状の第二ガイド部９１４が形成され、前記第二ガイド部９１４の周り方向の両端には、前記第一係止段３２１ａに係止される第三係止段９１４ａと、第二係止段３２１ｂに係止される第四係止段９１４ｂとがそれぞれ形成されている。
【００５２】
これにより、前記取っ手部材９２０を回転させる場合、掛金部材９１０が一緒に回転するが、前記掛金部材９１０の出入溝９１１が掛金部材設置溝３２０の側面に形成された開放溝３０２と一致して完全に連通すると、第一係止段３２１ａと第三係止段９１４ａが係止されて、これ以上の回転が禁止されるので、ベアリングホルダ３１３を、開放された前記開放溝３０２と出入溝９１１から容易に前記掛金部材９１０に設置することができる。
【００５３】
これに対して、前記取っ手部材９２０を反対方向に回転させて、前記掛金部材９１０の出入溝９１１が掛金部材設置溝３２０と連通せず、前記掛金部材設置溝３２０が前記掛金部材９１０により閉鎖される場合、第二係止段３２１ｂと第四係止段９１４ｂが係止されて、これ以上の回転が禁止される。
【００５４】
また、前記掛金部材９１０における第二ガイド部９１４の回転軸３１１の長手方向の端部には、制限プレート９１６が形成されており、前記第一ガイド部３２１の側端面の少なくとも一部を覆うように構成され、前記掛金部材９１０と一方フレーム３００の間のさらに安定的な結合が可能となる。
【００５５】
一方、前記一方フレーム３００には、前記取っ手部材９２０が収容される取っ手部材設置溝３３０が形成され、前記取っ手部材設置溝３３０の底面に向かう前記取っ手部材９２０の端部には、周り方向に沿って突出リング９２５が形成され、前記突出リング９２５の一部分には前記係止溝９２１が形成され、前記一方フレーム３００には、前記突出リング９２５の係止溝９２１に係止されるように、係止突起９５０が突出形成されている。
【００５６】
上述した実施例は、掃除機ヘッド１０００が前方ブラシ７００と後方ブラシ８００を備える二重ブラシの構成を対象として記述されたが、単にブラシを装着し分離する構成に関するものであるので、１つのブラシだけが設置された構造についても適用され得ることは言うまでもない。
【００５７】
以下、図面を参照して、本発明の実施形態に係る掃除機ヘッドの作用について説明する。
【００５８】
先ず、前方ブラシ７００を前方ハウジング１００に形成された一方フレーム３００に装着する動作について説明する。
【００５９】
図６と図７に示すように、前記前方ブラシ７００の一端に設置されるベアリングモジュール３１０は、前記前方ブラシ７００の端面中央に軸方向に固定される回転軸３１１と、前記回転軸３１１の周りに設置されるベアリング３１２と、前記ベアリング３１２の周りに設置されるベアリングホルダ３１３とからなる。
【００６０】
先ず、ブラシ着脱モジュール９００の掛金部材９１０に形成された出入溝９１１を一方フレーム３００の開放溝３０２と連通させて、前記出入溝９１１を側面に露出させる。
【００６１】
この状態で、前記一方フレーム３００に形成された前記ベアリングホルダ３１３を開放溝３０２を経て出入溝９１１に挟む。
【００６２】
次に、図９の（ａ）に示すように、前記取っ手部材９２０を連続的に回転させ、前記掛金部材９１０の出入溝９１１が、前記開放溝３０２からずれるようにして、前記一方フレーム３００により前記出入溝９１１が閉鎖されるようにする。
【００６３】
このとき、前記圧縮バネ９４０の弾性力により、前記取っ手部材９２０が前記一方フレーム３００から遠ざかる方向に移動しながら、前記取っ手部材９２０の周りに形成された係止溝９２１が、前記一方フレーム３００に形成された係止突起９５０に係止される。
【００６４】
したがって、前記取っ手部材９２０が自ずと逆回転して、前方ブラシ７００が離脱することが防がれる。
【００６５】
次に、前記前方ブラシ７００を前方ハウジング１００と一方フレーム３００から分離するためには、先ず、取っ手部材９２０を押圧し、前記取っ手部材９２０の周りに形成された係止溝９２１が、前記一方フレーム３００に形成された係止突起９５０から係止が解除されるようにする。
【００６６】
この状態で、前記取っ手部材９２０を連続的に回転させ、前記掛金部材９１０の出入溝９１１が前記開放溝３０２と連通させる（図９の（ｂ）参照）。
【００６７】
最後に、前記ベアリングホルダ３１３を出入溝９１１を経て開放溝３０２から抜き取ることにより、前記前方ブラシ７００を前記一方フレーム３００と前方ハウジング１００から分離するようになる。
【００６８】
本発明による実施例は、例示に過ぎず、本技術分野における通常を知識を有する者であれば、特許請求の範囲内で様々な変形及び均等な他の実施例が可能であることが理解されるであろう。
【符号の説明】
【００６９】
１００    前方ハウジング
２００    後方ハウジング（ハウジング）
２１０    空気出口
３００    一方フレーム
３０１    貫通孔
３０２    開放溝
３１０    ベアリングモジュール
３１１    回転軸
３１２    ベアリング
３１３    ベアリングホルダ
３２０    掛金部材設置溝
３２１    第一ガイド部
３２１ａ  第一係止段
３２１ｂ  第二係止段
３３０    取っ手部材設置溝
４００    他方フレーム
５００    駆動モータ
７００    前方ブラシ
８００    後方ブラシ（ブラシ）
９００    ブラシ着脱モジュール
９１０    掛金部材
９１１    出入溝
９１２    連結管
９１２ａ  締付孔
９１３    係止片
９１４    第二ガイド部
９１４ａ  第三係止段
９１４ｂ  第四係止段
９１６    制限プレート
９２０    取っ手部材
９２１    係止溝
９２２    ガイド溝
９２３    締付突出部
９２３ａ  螺子溝
９２５    突出リング
９３０    ストッパ部材
９３１    ヘッド
９４０    圧縮バネ
９５０    係止突起
１０００  二重ブラシ型掃除機ヘッド
【図１】
2020127699.tif 000003
【図２】
2020127699.tif 000004
【図３】
2020127699.tif 000005
【図４】
2020127699.tif 000006
【図５】
2020127699.tif 000007
【図６】
2020127699.tif 000008
【図７】
2020127699.tif 000009
【図８】
2020127699.tif 000010
【図９】
2020127699.tif 000011